(57)【特許請求の範囲】
【請求項１】
左右両端部の分割側苗載台を折畳み可能とし、該分割側苗載台の左右水平方向に摺動自在としたロックシャフト１２１と、該ロックシャフト１２１の外側端部に設けたロックレバー１２０により分割側苗載台を固定側苗載台本体に固定する構成であって、ロックシャフト１２１の先端にロックシャフト１２１の直径より大きくした係合部１２１ａを形成して、固定側苗載台本体に設けたロック部材であるロック板１２２に係合可能とするとともに、ロックシャフト１２１の途中部にストッパー部材としてのストッパーピン１３０と弾性部材としてのバネ１３５を設け、該バネ１３５によりストッパーピン１３０を分割側苗載台に設けたシャフトガイド１２９に係止可能とし
該バネ１３５はロックシャフト１２１の中途部に外嵌し、該バネ１３５の一端側はシャフトガイド１２９に当接し、他端側をピン１３２で係止し、該バネ１３５はロックシャフト１２１を抜く方向に常時付勢させたことを特徴とする田植機の苗載台折畳み固定装置。
【請求項２】
請求項１記載の田植機の苗載台折畳み固定装置において、前記シャフトガイド１２９にストッパーピン１３０が挿入摺動できる溝１２９ｂを設けたことを特徴とする田植機の苗載台折畳み固定装置。
【発明の詳細な説明】
【０００１】
【発明の属する技術分野】
本発明は、田植機の苗載台の左右全幅を短くするために、該苗載台及び苗取りレールの左右両端部を折り畳む構成において、左右両端部の分割側苗載台を左右中央側の固定側苗載台側面に固定するための苗載台折畳み固定装置の構成に関する。
【０００２】
【従来の技術】
従来から、複数条を同時に植付け作業を行う、８条植えや、１０条植えの田植機の苗載台を、苗載台左右両端部の数条の分割側苗載台を機体中央側に折畳みできるように、上下二本の門形状のフレームを設けて、その二本の門形状のフレームによって苗載台を折り畳み可能として、苗載台の左右全幅を短くさせる技術は本出願人より提案済みとなっている。
そして、左右両端部の分割側苗載台を使用時に、左右中央側の固定側苗載台側面に固定するために、分割側苗載台の左右にロックシャフトを貫通させて、該ロックシャフトの外側端部にロックレバーを枢支し、ロックシャフトを押し込み、ロックシャフト内側端部を固定側苗載台の側面に挿入することで分割側苗載台を固定していた。また、移動時や格納時等折り畳む場合には、ロックレバーを操作してロックシャフトを外側に摺動させて、ロックシャフト内側端部を固定側苗載台側面より抜脱して折畳み可能としていた。
【０００３】
【発明が解決しようとする課題】
しかし、移動時や格納時等に、分割側苗載台を折り畳んだ際には、ロックシャフトは固定されておらず、例えば、移動時にロックレバーが外側へ摺動して張り出した状態となり、そのため障害物と衝突して破損したりする可能性があるのであった。また、振動で騒音が発生したりしていたのであった。
【０００４】
【課題を解決するための手段】
上記の課題を解決するための手段は、次の通りである。
請求項１においては、左右両端部の分割側苗載台を折畳み可能とし、該分割側苗載台の左右水平方向に摺動自在としたロックシャフト１２１と、該ロックシャフト１２１の外側端部に設けたロックレバー１２０により分割側苗載台を固定側苗載台本体に固定する構成であって、ロックシャフト１２１の先端にロックシャフト１２１の直径より大きくした係合部１２１ａを形成して、固定側苗載台本体に設けたロック部材であるロック板１２２に係合可能とするとともに、ロックシャフト１２１の途中部にストッパー部材としてのストッパーピン１３０と弾性部材としてのバネ１３５を設け、該バネ１３５によりストッパーピン１３０を分割側苗載台に設けたシャフトガイド１２９に係止可能とし該バネ１３５はロックシャフト１２１の中途部に外嵌し、該バネ１３５の一端側はシャフトガイド１２９に当接し、他端側をピン１３２で係止し、該バネ１３５はロックシャフト１２１を抜く方向に常時付勢させたものである。
請求項２においては、請求項１記載の田植機の苗載台折畳み固定装置において、前記シャフトガイド１２９にストッパーピン１３０が挿入摺動できる溝１２９ｂを設けたものである。
【０００５】
【発明の実施の形態】
本発明の実施の形態を説明する。
図１は田植機の全体側面図、図２は同じく全体平面図、図３は植付部の展開平面図、図４は苗載台の平面図、図５は分割側苗載台の後面図、図６は本発明の田植機の苗載台固定装置の構成を示す正面図、図７はロックレバーの側面図、図８はロックシャフトの側面断面図、図９はピンによる係止を示す側面断面図、図１０は苗取りレールの斜視図、図１１は苗取りレールの側面図、図１２は苗取りレールの底面図、図１３は苗取りレールの分解正面断面図、図１４は同じく正面断面図、図１５は苗載台固定装置のロックレバーを回動した状態の正面図である。
【０００６】
以下、本発明の実施例を図面に基づいて詳述する。
図１は全体の側面図、図２は同平面図を示し、図中１は作業者が搭乗する走行車であり、エンジン２を車体フレーム３前部上方に搭載させ、ミッションケースの前方にフロントアクスルケース５を介して走行用前輪６を支持させると共に、前記ミッションケース４の後部にリヤアクスルケース７を連設し  前記リヤアクスルケース７に走行用後輪８を支持させる。
そして、前記エンジン２等を覆うボンネット９の両側に、予備苗載台１０を取付けると共に、ステップ１１を介して作業者が搭乗する車体カバー１２によって前記ミッションケース４等を覆い、前記車体カバー１２上部に運転席１３を取付け、その運転席１３の前方で前記ボンネット９後部に操向ハンドル１４を設ける。
【０００７】
また、図中１５は１０条植え用の苗載台１６、並びに複数の植付爪１７などを具備する植付部であり、前高後低の合成樹脂製の前傾式苗載台１６を下部レール１８及びガイドレール１９を介して、植付ケース２０に左右往復摺動自在に支持させる。それと共に、一方向に等速回転させるロータリケース２１を前記植付ケース２０に支持させ、該ケース２１の回転軸芯を中心に対称位置に一対の爪ケース２２・２２を配設し、その爪ケース２２・２２先端に植付爪１７・１７を取付ける。
また、前記植付ケース２０の前側にローリング支点軸を介して支持フレームを設け、トップリンク２５及びロワーリンク２６を含むリンク機構２７を介して走行車１後側に支持フレームを連結させ、前記リンク機構２７を介して植付部１５を昇降させる昇降シリンダ２８をロワーリンク２６に連結させる。前記前後輪６・８を走行駆動して移動すると同時に、左右に往復摺動させる苗載台１６から一株分の苗を植付爪１７によって取出し、連続的に苗植え作業を行うように構成する。
【０００８】
また、図中２９は走行変速レバー、３０は植付昇降兼作業走行変速用副変速レバー、３１は植付け感度調節レバー、３２は主クラッチペダル、３３・３３は左右ブレーキペダル、３４は均平用センターフロート、３５は均平用サイドフロート、３６は１０条用の側条施肥部である。
【０００９】
また、図３、図４に示すように、前記苗載台１６及び植付ケース２０など植付部１５の左右外側の２条分を、機体内側に折畳み自在に設けるもので、前記苗載台１６は左右最外側の２条分の苗載台１６を分割して、折畳み自在な分割側苗載台１６ｂに形成し、機体中央の６条用固定側苗載台本体１６ａに並行折畳み機構３７を介して分割側苗載台１６ｂを連結させて、固定側苗載台本体１６ａの作用面上方に略平行で、且つ、２段に分割側苗載台１６ｂを折畳みするように設けて、折畳み時苗載台１６の左右全幅を略６条分巾と等しくするように構成している。
【００１０】
前記苗載台１６下部は、植付けケース２０上に上下位置調整可能に支持される苗取りレール１８５に摺動自在に載置されている。図１１に示すように、前記苗取りレール１８５は、側面視四角形状のレール部１８８と該レール部１８８より後方に延出し、苗載台１６底面を摺動自在に支持する苗取り板１８６より構成されている。前記レール部１８８の上部は、苗台支持シュー８０の開放面内に係合されている。
また、図１０、図１４に示すように、前記苗取りレール１８５は、固定側苗取りレール１８５ａと分割側苗取りレール１８５ｂより構成されており、作業のために苗載台１６を広げる状態では、固定側苗取りレール１８５ａのレール部１８８より側方に突出した係合体１２４が、分割側苗取りレール１８５ｂに設けられた四角状の固定穴１２３と嵌合して安定性を高めている。
【００１１】
さらに、前記固定側苗取りレール１８５ａと分割側苗取りレール１８５ｂの底面には、それぞれプレート片より構成したガイド１３１ａ・１３１ｂを側方に突設するように固設している。前記ガイド１３１ａ・１３１ｂは、図１３に示すように、正面視先端側を下方に「へ」字状に折曲しており、固定側苗取りレール１８５ａと分割側苗取りレール１８５ｂの連結をスムーズ、かつ、確実にしており、苗載台１６に段差ができることはないのである。
つまり、前記係合体１２４と固定穴１２３の嵌合による連結と、ガイド１３１ａ・１３１ｂによって、苗取りレールを確実に連結して平面を形成し、植付け作業中に苗の整列を乱すことなく、欠株等は発生しないのである。
【００１２】
次に、本発明の苗載台折畳み固定装置について説明する。
図５、図６に示すように、分割側苗載台１６ｂの背面に上下平行に配設した下部レール１８及びガイドレール１９内に、シャフトガイド１２９・１２９が配設されている。該シャフトガイド１２９・１２９内に左右摺動自在にロックシャフト１２１が挿入されている。
【００１３】
前記ロックシャフト１２１の先端部は、図６、図８、図１５に示すように、側面視平板状で、平面視尖状（矢印状）に潰した形状に構成された係合部１２１ａとし、その幅はロックシャフト１２１の直径よりも長くなるように構成している。ロック部材であるロック板１２２には、ロックシャフト１２１が挿入される孔１２２ａと、該孔１２２ａの上下部に溝１２２ｂが形成され、ロック時及び解除の時に、ロックシャフト１２１の係合部１２１ａが溝１２２ｂ内に挿入して摺動ガイドされるようにしている。
【００１４】
また、前記ロックシャフト１２１の中途部には、弾性体であるバネ１３５が外嵌されており、該バネ１３５の一端側を、シャフトガイド１２９に当接し、他端側をピン１３２で係止し、該ロックシャフト１２１を抜く方向に付勢している。
【００１５】
図６、図７に示すように、前記ロックシャフト１２１の外側端部にロックレバー１２０基部が枢支ピン１２８によって枢支されている。また、前記ロックレバー１２０基部はカム部１２０ａが形成され、該カム部１２０ａは分割側苗載台１６ｂ側面に固設したガイド体１２７が固設され、該ガイド体１２７は側面視円弧状に構成して側方へ突設し、後面外側を覆う如く構成し、ガイド体１２６がプレート状として、前面側を覆う構成としている。このガイド体１２６とガイド１２７の間にロックレバー１２０を折り畳んだ状態で保持できるようにしている。
【００１６】
更に、前記ロックシャフト１２１を途中位置で摺動自在に支持するシャフトガイド１２９の側部位置のロックシャフト１２１上に、ロックシャフト１２１の軸心と直角方向にストッパー部材であるストッパーピン１３０が固設されている。そして、該シャフトガイド１２９には、図９に示すように、ロックシャフト１２１を遊嵌する孔１２９ａが開口され、該孔１２９ａの上下両側にストッパーピン１３０が摺動できる溝１２９ｂが形成されている。
【００１７】
このような構成において、前記分割側苗載台１６ｂを折畳む際には、前記ロックレバー１２０を側方に回動して、ロックシャフト１２１を固定側苗載台本体１６ａ側へ押し込み、ガイド体１２７に沿って前方へ回動すると、図１５に示すように、ロックシャフト１２１の先端部の係合部１２１ａも同時に回動し、該係合部１２１ａが溝１２２ｂに係合する位置となる。
また、同時にストッパーピン１３０も溝１２９ｂと同じ位置となり、この状態でロックレバー１２０を外側に引っ張ると、ロックシャフト１２１が移動して、係合部１２１ａはロック板１２２から抜け、分割側苗載台１６ｂが回動可能な状態となり、後方へ引き上げて回動すると折畳みが行える。ロックする場合には、逆の操作を行えば良い。
【００１８】
そして、分割側苗載台１６ｂを折り畳んだ状態では、前記ロックレバー１２０は左右移動自在できるので、走行時に飛び出して、引っかけたり、障害物に当接して折れ曲がることもある。そこで、分割側苗載台１６ｂを折り畳んだ状態で、ロックレバー１２０を引き出した状態から、バネ１３５に抗してそのまま押し込むように移動すると、前記ストッパーピン１３０は、溝１２９ｂ内を移動し、カム部１２０ａをガイド体１２７に当接するまで挿入すると、ストッパーピン１３０はシャフトガイド１２９から抜け、その状態でロックレバー１２０を後方に回動すると、ストッパーピン１３０はシャフトガイド１２９から抜けることができなくなる。
【００１９】
そして、ロックレバー１２０を内側（上方）に回動すると、図５に示すように、カム部１２０ａがガイド体１２７にガイドされてその状態で維持され、ロックシャフト１２１はバネ１３５の付勢力によってストッパーピン１３０がシャフトガイド１２９端面に当接し、その位置で固定され、ロックレバー１２０が外側へ張り出すことはないのである。
【００２０】
【発明の効果】
以上実施例から明らかなように本発明は、左右両端部の分割側苗載台を折畳み可能とし、該分割側苗載台の左右水平方向に摺動自在としたロックシャフト１２１と、該ロックシャフト１２１の外側端部に設けたロックレバー１２０により分割側苗載台を固定側苗載台本体に固定する構成であって、ロックシャフト１２１の先端にロックシャフト１２１の直径より大きくした係合部１２１ａを形成して、固定側苗載台本体に設けたロック板１２２に係合可能としたので、作業時には係合操作だけで分割側苗載台を固定側苗載台本体に固定して、ロックすることができ、ロックシャフト１２１を両者に跨がらせているので、強固にロック支持することができる。
【００２１】
また、ロックシャフト１２１の途中部にストッパーピン１３０とバネ１３５を設け、該バネ１３５にてストッパーピン１３０を分割側苗載台に設けたシャフトガイド１２９に係止可能としたので、分割側苗載台を折り畳んだ状態で、ロックシャフト１２１を収納位置で係止することによって、走行時や格納時等でロックシャフト１２１が外側へ摺動して張り出すことがなく、障害物と衝突して破損することがないのである。
また、該バネ１３５はロックシャフト１２１の中途部に外嵌し、該バネ１３５の一端側はシャフトガイド１２９に当接し、他端側をピン１３２で係止し、該バネ１３５はロックシャフト１２１を抜く方向に常時付勢させたので、ロックレバー１２０が飛び出して折れ曲がったり、他の物を傷つけたりすることがなく、振動で騒音が発生したりすることもない。
【００２２】
また、シャフトガイド１２９にストッパーピン１３０が挿入摺動できる溝１２９ｂを設けたので、シャフトガイド１２９でロックシャフト１２１を支持しながら、簡単な構成でストッパーピン１３０を係止位置とロック解除位置に移動可能とすることができるのである。
【図面の簡単な説明】
【図１】田植機の全体側面図である。
【図２】同じく全体平面図である。
【図３】植付部の展開平面図である。
【図４】苗載台の平面図である。
【図５】分割側苗載台の後面図である。
【図６】本発明の田植機の苗載台固定装置の構成を示す正面図である。
【図７】ロックレバーの側面図である。
【図８】ロックシャフトの側面断面図である。
【図９】固定ピンによる係止を示す側面断面図である。
【図１０】苗取りレールの斜視図である。
【図１１】苗取りレールの側面図である。
【図１２】苗取りレールの底面図である。
【図１３】苗取りレールの分解正面断面図である。
【図１４】同じく正面断面図である。
【図１５】苗載台固定装置のロックレバーを回動した状態の正面図である。
【符号の説明】
１６ｂ  分割側苗載台
１２０  ロックレバー
１２１  ロックシャフト
１２９ｂ  長孔
１３０  ストッパーピン
１３５  バネ
【図１】
0003628501.tif 000002
【図２】
0003628501.tif 000003
【図３】
0003628501.tif 000004
【図４】
0003628501.tif 000005
【図５】
0003628501.tif 000006
【図６】
0003628501.tif 000007
【図７】
0003628501.tif 000008
【図８】
0003628501.tif 000009
【図９】
0003628501.tif 000010
【図１０】
0003628501.tif 000011
【図１１】
0003628501.tif 000012
【図１２】
0003628501.tif 000013
【図１３】
0003628501.tif 000014
【図１４】
0003628501.tif 000015
【図１５】
0003628501.tif 000016